(57)【特許請求の範囲】
【請求項１】
セパレータを挿通し得る間隔をおいて対向配置するとともに一端側を連結した一対の平行体に、前記セパレータと直交方向にセパレータを挿通するための挿通孔をそれぞれ設ける一方、前記一対の平行体間に挿通したセパレータが連結側とは反対側端から離脱するのを防止する離脱防止手段を設け、前記連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする建築用セパレータの固定金具。
【請求項２】
セパレータを挿通し得る間隔をおいて対向配置するとともに一端側を連結した一対の平行体に、前記セパレータと直交方向にセパレータを挿通するための挿通孔をそれぞれ設ける一方、前記一対の平行体間に挿通したセパレータが連結側とは反対側端から離脱するのを防止するために連結側とは反対側端の間隔を狭め、前記連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする建築用セパレータの固定金具。
【請求項３】
セパレータを挿通し得る間隔をおいて対向配置するとともに両端側を連結した一対の平行体に、前記セパレータと直交方向にセパレータを挿通するための挿通孔を二対設ける一方、前記各連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする建築用セパレータの固定金具。
【請求項４】
セパレータを挿通し得る間隔をおいて対向配置するとともに一端側を連結した一対の平行体に、前記セパレータと直交方向にセパレータを挿通するための挿通孔と、さらに他のセパレータのねじ部を螺合するためのねじ孔を設け、前記連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする建築用セパレータの固定金具。
【発明の詳細な説明】
【０００１】
【発明の属する技術分野】
本発明は、コンクリート型枠間に配置される建築用セパレータ同士を固定するための固定金具に関し、特に直交方向に伸びるセパレータ同士を固定するための固定金具に関する。
【０００２】
【従来の技術】
従来の一般的なセパレータの固定金具は、同一方向に伸びるセパレータ同士を固定し得るだけであり、直交方向に伸びるセパレータ同士を固定することができなかった。コンクリート建造物にドア部や窓部等の開口部を設ける場合には、壁面を形成するための一対の対向するコンクリート型枠と、壁面の開口面を形成するための前記各コンクリート型枠と直交するコンクリート型枠とが必要になるが、従来の固定金具は直交方向に伸びるセパレータ同士を固定することができないので、このように配置されたコンクリート型枠をセパレータで支持することはできなかった。
【０００３】
このため従来では、一対の対向するコンクリート型枠はセパレータで支持し、これと直交するコンクリート型枠については、開口部分にサポートと称される支持部材を縦横に配置して支持していた。ところがこの構成によると、開口部分がサポートによって閉塞された状態になるので、コンクリート建造物を構築中に、この開口部分を通過して作業することができないという不都合があった。この不都合を解消するには、三方向のコンクリート型枠をセパレータによって支持すればよいのであるが、そのためには、直交方向に伸びるセパレータ同士を固定し得る固定金具が必要である。
【０００４】
この要望に応えるものとして、既に、本願出願人らが提案した図１２及び図１３に示す二つの固定金具がある。まず、図１２に示す固定金具１０１は、ブロック状本体１０２に互いに直交方向に伸びる透孔１０３とねじ孔１０４とを設けたものである。また、図１３に示す固定金具１１１は、一対の平行板１１２ａ，１１２ｂを有するＵ字状本体１１２に、前記平行板１１２ａ，１１２ｂにねじ孔１１４ａ，１１４ｂを設けたもので、前記各ねじ孔１１４ａ，１１４ｂと直交方向に貫通する貫通部１１３を有している。そして、透孔１０３と貫通部１１３はセパレータを貫通するためのものであり、一方、ねじ孔１０４と各ねじ孔１１４ａ，１１４ｂはセパレータの端部に設けたねじ部を螺合するためのものである。
【０００５】
上述した固定金具１０１は、図１４に示すように、あらかじめ固定金具１０１の透孔１０３を貫通させたセパレータ２０４の両端ねじ部２０４ａ，２０４ｂを、対向配置されたコンクリート型枠２０１，２０２に長ナット２０５とボルト２０６によりそれぞれ固定する一方、セパレータ２０７の一端ねじ部２０７ｂを固定金具１０１のねじ孔１０４に螺合して固定したうえ、他端ねじ部２０７ａを、前記コンクリート型枠２０１，２０２と直交して配置された、開口部側のコンクリート型枠２０３に長ナット２０５とボルト２０６により固定することにより、直交方向のセパレータ２０４，２０７を固定することができる。
【０００６】
各セパレータ２０４，２０７は、一般にＢＣセパレータと称される両端のねじ部の長さが異なるタイプのものか、一般にＢセパレータと称される両端のねじ部の長さが等しいタイプのものが使用される。ＢＣセパレータの場合には、各ねじ部２０４ｂ，２０７ｂの方が各ねじ部２０４ａ，２０７ａよりも長いねじ部となるように使用した方が、作業が容易となる。なお、図１４中、２０８はコンクリート型枠を支持するための一般に単管と称される支持管、２０９はコンクリート型枠が突き合わされる角部を押さえるための桟木である。
【０００７】
また、固定金具１１１も、固定金具１０１と同様にして直交方向のセパレータ２０４，２０７を固定することができる。すなわち、この固定金具１１１は、前記固定金具１０１の透孔１０３に対してその貫通部１１３を、前記固定金具１０１のねじ孔１０４に対してその各ねじ孔１１４ａ，１１４ｂを、それぞれ対応するようにして使用するものである。
【０００８】
【発明が解決しようとする課題】
上述のように、これら固定金具１０１，１１１は、直交する一方のセパレータ２０７のねじ部２０７ｂをねじ孔１０４あるいは各ねじ孔１１４ａ，１１４ｂと螺合して固定するので、これら固定金具１０１，１１１を配置する位置に制約があり、前記セパレータ２０７のねじ部２０７ｂと対応する位置に直交するセパレータ２０４を設けなければならない。このため、コンクリート型枠２０１，２０２，２０３内に配置する鉄筋の構成によっては、コンクリート型枠２０１，２０２，２０３の所望の位置に各セパレータ２０４，２０７を固定することができず、これら固定金具１０１，１１１を使用できない場合があるという不都合を生じる。
【０００９】
本発明は、上述した従来の固定金具１０１，１１１が有している不都合を解消した、コンクリート型枠間に配置される、特に直交方向に伸びるセパレータ同士を固定するのに好適な固定金具を提供することを目的とする。
【００１０】
【課題を解決するための手段】
上述した目的を達成するために、本発明の請求項１に記載した建築用セパレータの固定金具は、セパレータを挿通し得る間隔をおいて対向配置するとともに一端側を連結した一対の平行体に、前記セパレータと直交方向にセパレータを挿通するための挿通孔をそれぞれ設ける一方、前記一対の平行体間に挿通したセパレータが連結側とは反対側端から離脱するのを防止する離脱防止手段、例えば、開口端側を一体的あるいは別体の部材を介して、連結して開口部分を閉塞してなる離脱防止手段や、係止部を設けたり、開口端側を接近するよう湾曲形成して、開口端の間隔を狭くしてなる離脱防止手段を設け、前記連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする。
【００１１】
本発明の請求項２に記載した建築用セパレータの固定金具は、セパレータを挿通し得る間隔をおいて対向配置するとともに一端側を連結した一対の平行体に、前記セパレータと直交方向にセパレータを挿通するための挿通孔をそれぞれ設ける一方、前記一対の平行体間に挿通したセパレータが連結側とは反対側端から離脱するのを防止するために連結側とは反対側端の間隔を狭め、前記連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする。
【００１２】
本発明の請求項３に記載した建築用セパレータの固定金具は、セパレータを挿通し得る間隔をおいて対向配置するとともに両端側を連結した一対の平行体に、前記セパレータと直交方向にセパレータを挿通するための挿通孔を二対設ける一方、前記各連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする。
【００１３】
本発明の請求項４に記載した建築用セパレータの固定金具は、セパレータを挿通し得る間隔をおいて対向配置するとともに一端側を連結した一対の平行体に、前記セパレータと直交方向にセパレータを挿通するための挿通孔と、さらに他のセパレータのねじ部を螺合するためのねじ孔とを設け、前記連結部分には固定用のねじ孔を設けてなる金具本体と、この金具本体の前記各挿通孔に挿通したセパレータを前記各挿通孔面に圧接して固定すべく前記固定用のねじ孔に螺合するための固定ねじとからなることを特徴とする。
【００１４】
【発明の実施の形態】
以下に、本発明の好適な実施形態を添付図面の図１〜図１１に基づいて詳細に説明する。ここにおいて、図１〜図３は第１の実施形態を示し、図１は固定金具の分解拡大斜視図、図２はその使用状態を示す概略的な平面図、図３は同じく一部を断面としセパレータのねじ部を省略して示す部分拡大側面図、図４〜図７は第２の実施形態を示し、図４は固定金具の分解拡大斜視図、図５は金具本体の拡大縦断面図、図６はその使用状態を一部を断面としセパレータのねじ部を省略して示す部分拡大側面図、図７は他の使用状態を一部を断面としセパレータのねじ部を省略して示す部分拡大側面図、図８〜図１１は第３の実施形態を示し、図８は固定金具の分解拡大斜視図、図９はその使用状態を示す一部を断面とした部分拡大側面図、図１０は他の使用状態を示す一部を断面とした部分拡大側面図、図１１はさらに他の使用状態を示す一部を断面とした部分拡大側面図である。
【００１５】
まず、第１の実施形態を図１〜図３に基づいて説明する。図１に示すように、固定金具１は、セパレータの直径よりは若干大きく、セパレータを挿通し得る間隔をおいて対向配置した一対の平行体たる平行板２ａ，２ｂの一端側を連結してＵ字状に形成した金具本体２と、この金具本体２に螺合する固定ねじ６とからなる。この金具本体２の前記平行板２ａ，２ｂには、これらの間を挿通するセパレータと直交方向にセパレータを挿通するための挿通孔３ａ，３ｂをそれぞれ設ける一方、これら平行板２ａ，２ｂの開口端（非連結端）には係止部４ａ，４ｂを一体的に設けて開口間隔を狭め、前記平行板２ａ，２ｂ間を挿通したセパレータが開口端から離脱するのを防止している。
【００１６】
一方。固定ねじ６は、金具本体２のＵ字状の底部にあたる連結部分に設けた固定用のねじ孔５に螺合するよう構成している。この固定ねじ６は、前記金具本体２の各挿通孔３ａ，３ｂに挿通したセパレータを、前記各挿通孔３ａ，３ｂ面の係止部４ａ，４ｂ側に圧接して固定するためのものである。
【００１７】
次に、上述した固定金具１の使用方法を図２及び図３に基づいて説明する。前記固定金具１を開口端が上方に位置する状態として、その平行板１２ａ，１２ｂ間にセパレータ１３を挿通し、このセパレータ１３の両端ねじ部１３ａ，１３ｂを、対向配置されたコンクリート型枠１２ａ，１２ｂにＰコン１５，１６の雌ねじ部に螺合して固定する。そして、コンクリート型枠１２ｂを貫通した前記Ｐコン１６のボルト部にはホームタイ１９を取り付け、支持管１８を締め付けて型枠１２ａ，１２ｂを支持している。なお、図２中、２０は桟木である。
【００１８】
一方、セパレータ１４の一端ねじ部１４ｂ側を固定金具１の各挿通孔３ａ，３ｂに挿通し、このセパレータ１４の他端ねじ部１４ａは、コンクリート型枠１２ａ，１２ｂと直交して配置された開口部側のコンクリート型枠１１にＰコン１７の雌ねじ部に螺合して固定する。この際、固定金具１はセパレータ１３に沿って移動可能であり、また、係止部４ａ，４ｂに規制される範囲内で上下にも移動可能であるから、前記ねじ部１４ｂ側を各挿通孔３ａ，３ｂに挿通する作業は容易になされる。そして、ねじ孔５に固定ねじ６を螺合し、前記セパレータ１４の一端ねじ部１４ｂ側を各挿通孔３ａ，３ｂ面に圧接して固定する。これによって、直交方向のセパレータ１３，１４を固定することができる。
【００１９】
続いて、図４〜図７に基づいて、第２の実施形態を説明する。図４及び図５に示すように、固定金具２１は、セパレータの直径より若干大きい、セパレータを挿通し得る間隔をおいて対向配置した一対の平行体たる平行板２２ａ，２２ｂの両端側を連結してなる縦長リング状の金具本体２２と、固定ねじ２６ａ，２６ｂとからなる。前記各平行板２２ａ，２２ｂには、これらの間に挿通したセパレータと直交方向にセパレータを挿通するための二対の挿通孔２３ａ，２３ｂ，２４ａ，２４ｂを、セパレータの直径と略同一の間隔をおいて上下に設けている。
【００２０】
一方、固定ねじ２６ａ，２６ｂは、上下の各連結部分に設けた固定用のねじ孔２５ａ，２５ｂに螺合するよう構成している。これらの固定ねじ２６ａ，２６ｂは、第１の実施形態と同様に、金具本体２２の各挿通孔２３ａ，２３ｂ，２４ａ，２４ｂに挿通したセパレータを、前記各挿通孔２３ａ，２３ｂ，２４ａ，２４ｂ面のねじ孔２５ａ，２５ｂとは反対側に圧接して固定するためのものである。
【００２１】
次に、上述した固定金具２１の使用方法を図６及び図７に基づいて説明する。図６に示す使用方法は、上述した第１の実施形態と同様なので、図２を参照しながら、この図２に示すセパレータ１３，１４を固定するものとして説明する。まず、前記固定金具２１の平行板２２ａ，２２ｂ間にセパレータ１３を挿通し、このセパレータ１３の両端ねじ部１３ａ，１３ｂを、対向配置されたコンクリート型枠１２ａ，１２ｂにＰコン１５，１６の雌ねじ部に螺合して固定する。
【００２２】
一方、セパレータ１４の一端ねじ部１４ｂ側を固定金具２１の各挿通孔２４ａ，２４ｂに挿通し、このセパレータ１４の他端ねじ部１４ａは、コンクリート型枠１１にＰコン１７の雌ねじ部に螺合して固定する。この際、固定金具２１はセパレータ１３に沿って移動可能であり、また、金具本体部２２で規制される範囲内で上下にも移動可能であるから、前記ねじ部１４ｂ側を各挿通孔２４ａ，２４ｂに挿通する作業は容易になされる。そして、ねじ孔２５ａに固定ねじ２６ａを螺合し、前記セパレータ１４の一端ねじ部１４ｂ側を各挿通孔２４ａ，２４ｂ面に圧接して固定する。これによって、直交方向のセパレータ１３，１４を固定することができる。
【００２３】
また、図７に示す使用方法は、基本的には平行に伸びるセパレータ同士を固定する場合の使用方法であり、２本の互いに平行に伸びるセパレータ２７，２８を、それぞれ挿通孔２３ａ，２３ｂ，２４ａ，２４ｂに挿通し、前記セパレータ２７，２８の所望位置（通常はコンクリート型枠とは反対側に位置するねじ部端）に金具本体２２を移動し、ねじ孔２５ａ，２５ｂに固定ねじ２６ａ，２６ｂを螺合し、前記各セパレータ２７，２８を各挿通孔２３ａ，２３ｂ，２４ａ，２４ｂ面に圧接して固定するものである。
【００２４】
この使用方法は、互いの反対側端をコンクリート型枠に固定した各セパレータ２７，２８のコンクリート型枠固定端とは反対側の自由端同士を固定する場合、あるいは、互いの同一側端をコンクリート型枠に固定した各セパレータ２７，２８のコンクリート型枠固定端とは反対側の自由端同士を固定する場合に適している。また、前記各セパレータ２７，２８の間に、これらセパレータ２７，２８とは直交方向に伸び、両端を固定したセパレータ２９を、挿通するように配置した状態で固定することもできる。
【００２５】
さらに続いて、第３の実施形態を図８〜図１１に基づいて説明する。図８に示すように、固定金具３１は、セパレータの直径より若干大きい、セパレータを挿通し得る間隔をおいて対向配置した一対の平行体たる平行板３２ａ，３２ｂの一端側を連結してＵ字状に形成した金具本体３２と、固定ねじ３６とからなる。前記金具本体３２の前記平行板３２ａ，３２ｂには、これらの間を挿通するセパレータと直交方向にセパレータを挿通するための挿通孔３２ａ，３２ｂとねじ孔３４ａ，３４ｂとをそれぞれ設けている。これらねじ孔３４ａ，３４ｂにねじ部材、例えば端部にねじ部をも設けたセパレータやねじ軸を螺合して、平行板３２ａ，３２ｂの開口端（非連結端）を閉塞し、前記平行板３２ａ，３２ｂ間に挿通したセパレータが開口端から離脱するのを防止する。
【００２６】
一方、固定ねじ３６は、金具本体３２のＵ字状の底部にあたる連結部分に設けた固定用のねじ孔３５に螺合するよう構成している。この固定ねじ３６は、前記金具本体２の各挿通孔３３ａ，３３ｂに挿通したセパレータを、前記各挿通孔３３ａ，３３ｂ面の開口端側に圧接して固定するためのものである。
【００２７】
次に、上述した固定金具３１の使用方法を図９〜図１１に基づいて説明する。まず、図９に示す使用方法は、基本的には平行に伸びるセパレータ同士を固定する場合の使用方法であり、前記固定金具３１を開口端が上方に位置する状態として、その挿通孔３３ａ，３３ｂにセパレータ３７を挿通し、これと平行に伸びるセパレータ３８を、その一端側のねじ部３８ａを各ねじ孔３４ａ，３４ｂに螺合して固定する一方、固定用のねじ孔３５ａに固定ねじ３６を螺合し、前記セパレータ３７を各挿通孔３３ａ，３３ｂ面に圧接して固定するものである。
【００２８】
この使用方法は、互いの反対側端をコンクリート型枠に固定した各セパレータ３７，３８のコンクリート型枠固定端とは反対側の自由端同士を固定する場合、あるいは、互いの同一側端をコンクリート型枠に固定した各セパレータ３７，３８のコンクリート型枠固定端とは反対側の自由端同士を固定する場合に適している。しかし、一方のセパレータ３８のねじ部３８ａが、ねじ孔３４ａ，３４ｂに対応しなければならないという制約がある。そして、金具本体３２を上下反対にして使用することもできる。また、前記各セパレータ３７，３８の間に、これらセパレータ３７，３８とは直交方向に伸び、両端を固定したセパレータ３９を、挿通するように配置した状態で固定することもできる。
【００２９】
次に、図１０に示す使用方法は、図９に示す使用方法の変形であり、セパレータ３８の代わりに、２本のセパレータ３９，４０を、各一端ねじ部３９ａ，４０ａを金具本体３２のねじ孔３４ａ，３４ｂにそれぞれ螺合して固定したものである。
【００３０】
さらに、図１１に示す使用方法は、固定ねじ３６を使わずに、互いに直交する２本のセパレータ３８，４０を固定する方法であり、まず、固定金具３１を開口端が上方に位置する状態として、その平行板３２ａ，３２ｂ間にセパレータ４０を挿通し、このセパレータ４０の両端ねじ部を、対向配置されたコンクリート型枠に固定する。一方、セパレータ３８の一端ねじ部３８ｂをねじ孔３４ａ，３４ｂに螺合して固定することによって、直交方向のセパレータ３８，４０を固定することができる。なお、前記セパレータ４０を固定ねじ３６をねじ孔３５に螺合して、前記セパレータ３８に圧接して固定することも可能である。
【００３１】
なお、本発明は上述した各実施形態に限定されるものではなく、例えば金具本体２，２２，３２の連結部分を直状に伸びるよう構成してもよい。また、係止部４ａ，４ｂの形状も種々変更可能であり、一対の平行板２ａ，２ｂ，２２ａ，２２ｂ，３２ａ，３２ｂの幅方向全体に及ぶ必要はない。
【００３２】
【発明の効果】
以上のように、本発明の建築用セパレータの固定金具によれば、簡単な構成によって、直交方向に伸びる２本のセパレータを確実に固定することができるほか、挿通孔と固定ねじを利用して行うセパレータの固定部分は両端のねじ部に限定されないので、固定作業が容易になるという効果を有する。
【図面の簡単な説明】
【図１】第１実施形態の固定金具の分解拡大斜視図。
【図２】同じくその使用状態を示す概略的な平面図。
【図３】同じく一部を断面としセパレータのねじ部を省略して示す部分拡大側面図。
【図４】第２の実施形態の固定金具の分解拡大斜視図。。
【図５】同じく金具本体の拡大縦断面図。
【図６】同じくその使用状態を一部を断面としセパレータのねじ部を省略して示す部分拡大側面図
【図７】同じく他の使用状態を示す一部を断面としセパレータのねじ部を省略して示す部分拡大側面図。
【図８】第３の実施形態をの固定金具の分解拡大斜視図。
【図９】同じくその使用状態を示す一部を断面とした部分拡大側面図。
【図１０】同じく他の使用状態を示す一部を断面とした部分拡大側面図。
【図１１】同じくさらに他の使用状態を示す一部を断面とした部分拡大側面図。
【図１２】従来の固定金具を示す斜視図。
【図１３】従来の他の固定金具を示す斜視図。
【図１４】従来の使用状態を示す概略的な平面図。
【符号の説明】
１，２１，３１      固定金具
２，２２，３２      金具本体
２ａ，２ｂ，２２ａ，２２ｂ，３２ａ，３２ｂ      平行板
３ａ，３ｂ，２３ａ，２３ｂ，２４ａ，２４ｂ，３３ａ，３３ｂ      挿通孔４ａ，４ｂ      係止部
５，２５ａ，２５ｂ，３５      ねじ孔
６，２６ａ，２６ｂ，３６      固定ねじ
１３，１４，２９，３９      セパレータ
３４ａ，３４ｂ      ねじ孔
【図１】
0003665128.tif 000002
【図２】
0003665128.tif 000003
【図３】
0003665128.tif 000004
【図４】
0003665128.tif 000005
【図５】
0003665128.tif 000006
【図６】
0003665128.tif 000007
【図７】
0003665128.tif 000008
【図８】
0003665128.tif 000009
【図９】
0003665128.tif 000010
【図１０】
0003665128.tif 000011
【図１１】
0003665128.tif 000012
【図１２】
0003665128.tif 000013
【図１３】
0003665128.tif 000014
【図１４】
0003665128.tif 000015